(57)【要約】【課題】  本件発明は識別コード記憶モードが設定者の意図しないタイミングで実行されることを防ぎ、識別コードの誤記憶を抑制できるトイレ装置を提供することを目的とする。【解決手段】  洗浄装置本体と、リモコンと、を備えた衛生洗浄装置であって、リモコンは、固有の識別コードを記憶する記憶手段と、識別コードを操作信号と共に無線送信するリモコン制御手段と、を有し、洗浄装置本体は操作信号に含まれる識別コードと設定されている識別コードとを比較し、その結果に基づいて洗浄装置本体を動作させる通常動作モードを実行する本体制御手段を有し、本体制御手段は、電源投入を検出するとリモコンに向けて設定されている識別コードを無線送信する識別コード送信モードを実行すると共に、リモコン制御手段は、所定の操作が行われると識別コードを記憶手段に記憶させる識別コード記憶モードを実行することを特徴とする。【選択図】図５
2018159199.tif 000002
【特許請求の範囲】
【請求項１】
使用者の局部を洗浄水によって洗浄する洗浄装置本体と、この洗浄装置本体を遠隔操作するために、操作信号を無線送信するリモコンと、を備えた衛生洗浄装置であって、
前記リモコンは、固有の識別コードを記憶する記憶手段と、この記憶手段に記憶された識別コードを前記操作信号と共に前記洗浄装置本体へ向けて無線送信するリモコン制御手段と、を有し、
前記洗浄装置本体は、前記リモコンから無線送信された前記操作信号に含まれている識別コードと設定されている識別コードとを比較し、その結果に基づいて前記洗浄装置本体を動作させる通常動作モードを実行する本体制御手段を有し、
前記本体制御手段は、電源投入を検出すると前記リモコンに向けて設定されている識別コードを無線送信する識別コード送信モードを実行すると共に、前記リモコン制御手段は、所定の操作が行われると前記識別コードを前記記憶手段に記憶させる識別コード記憶モードを実行することを特徴とする衛生洗浄装置。
【請求項２】
前記リモコン制御手段は、前記識別コード記憶モードにおいて、前記記憶手段に前記識別コードを記憶したことを前記洗浄装置本体へ返送するアンサーバック処理を実行して前記識別コード記憶モードを終了し、
前記本体制御手段は、前記リモコンからの返信信号を受信すると前記識別コード送信モードを終了することを特徴とする請求項１記載の衛生洗浄装置。
【発明の詳細な説明】
【技術分野】
【０００１】
本発明は、本発明は、洗浄装置本体とリモコンの間で無線信号を送受信する衛生洗浄装置に関する。
【背景技術】
【０００２】
従来から、洗浄装置本体とその洗浄装置本体の間で無線通信を行うリモコンとを備えた衛生洗浄装置が知られている。衛生洗浄装置とリモコンとの間の無線通信に使用される無線伝送媒体としては赤外光や電波が一般的である。このような衛生洗浄装置においては、操作時の姿勢の自由度が高いため利便性の高い衛生洗浄装置を実現できる。
【０００３】
ところで、学校や会社などのパブリックスペースにおいては、この衛生洗浄装置を設置したトイレ室を複数設けたトイレスペースを有する場合がある。この場合、各トイレ室に設置される洗浄装置本体ごとにリモコンを設置するため、あるトイレ室内に設置されたリモコンが他のトイレ室内に設置された洗浄装置本体を誤動作させる恐れがあった。そこで、このような衛生洗浄装置では、あるリモコンが特定の洗浄装置本体のみを動作させることができるように、リモコン固有の識別コードを洗浄装置本体に記憶させるペアリングと呼ばれる作業が行われていた。
【０００４】
特許文献１においては、ペアリングのために電源投入から一定時間内の着座検知によって、識別コード記憶モードを実行できるようにしていた。この特許文献１では、複雑な操作を必要とせず、また、入力手段を追加する必要もなく、洗浄装置本体の既存の機能を利用して識別コード記憶モードを実行でき、リモコン固有の識別コードを洗所装置本体に記憶させることができる。
【先行技術文献】
【特許文献】
【０００５】
【特許文献１】特開２０１１−０６９１２１号公報
【発明の概要】
【発明が解決しようとする課題】
【０００６】
しかしながら、特許文献１のように電源投入からの通常使用時に起こりえる事象によって、識別コード記憶モードを実行するように設定すると、意図しないタイミングでの識別コード記憶モードの実行が想定以上に多く発生する。例えば、トイレルームの電源を集中管理している公共施設では夜間や休日において電源オフされる場合があり、また、ホテルにおいては、客室毎にルームキーの差込と連動して電源がオンオフされる場合がある。この場合、電源オン時に使用者が装置に着座すると、リモコンの識別コード記憶を意図していないのに識別コード記憶モードが実行されてしまい、その状態で隣の衛生洗浄装置からのリモコンの識別コードを記憶してしまうという、誤記憶が発生することがあった。
【０００７】
本発明は、このような従来の課題を解決するものであり、識別コード記憶モードが設定者の意図しないタイミングで実行されることを防ぎ、識別コードの誤記憶を抑制できる衛生洗浄装置を提供することを目的とする。
【課題を解決するための手段】
【０００８】
前述した目的を達成するために、本発明は、使用者の局部を洗浄水によって洗浄する洗浄装置本体と、この洗浄装置本体を遠隔操作するために、操作信号を無線送信するリモコンと、を備えた衛生洗浄装置であって、リモコンは、固有の識別コードを記憶する記憶手段と、この記憶手段に記憶された識別コードを操作信号と共に洗浄装置本体へ向けて無線送信するリモコン制御手段と、を有し、洗浄装置本体は、リモコンから無線送信された操作信号に含まれている識別コードと設定されている識別コードとを比較し、その結果に基づいて洗浄装置本体を動作させる通常動作モードを実行する本体制御手段を有し、本体制御手段は、電源投入を検出するとリモコンに向けて設定されている識別コードを無線送信する識別コード送信モードを実行すると共に、リモコン制御手段は、所定の操作が行われると識別コードを記憶手段に記憶させる識別コード記憶モードを実行することを特徴とする。
このように構成された本発明においては、洗浄装置本体の電源が投入されると、この洗浄装置本体に設定されている識別コードを送信する識別コード送信モードが実行され、リモコンが所定の操作が行われると洗浄装置本体から送信された識別コードを記憶手段に記憶する識別コード記憶モードを実行することができる。
そのため、洗浄装置本体が電源投入されて、且つ、リモコンが所定操作されることで、洗浄装置本体に設定されている識別コードがリモコンの記憶手段に記憶されるため、洗浄装置本体の電源がオンオフされても識別コード記憶モードが実行されることがなく、設定者が意図してリモコンを所定操作しないと識別コード記憶モードが実行されるので、設定者が意図しないタイミングで識別コードがリモコンの記憶手段に記憶されてしまうことを防ぐことができる。
従って、識別コード記憶モードの実行のために、洗浄装置本体での操作や入力手段を追加する必要がなく、かつ、識別コードの誤記憶を抑制することができる。
【０００９】
本発明において、好ましくは、リモコン制御手段は、識別コード記憶モードにおいて、記憶手段に識別コードを記憶したことを洗浄装置本体へ返送するアンサーバック処理を実行して識別コード記憶モード終了し、本体制御手段は、リモコンからの返信信号を受信すると識別コード送信モードを終了することを特徴とする。
このように構成された本発明においては、リモコン制御手段が識別コードの記憶を完了すると、アンサーバック処理を実行して識別コード記憶モードを終了し、本体制御手段はアンサーバック処理による返信信号を受信して識別コード送信モードの実行を終了することができる。
そのため、リモコンに識別コードが記憶されると、速やかに識別コード送信モードおよび識別コード記憶モードの実行が終了されるため、記憶させたい洗浄装置本体以外から送信された識別コードがリモコンに誤記憶されてしまうことを抑制できる。
【発明の効果】
【００１０】
本発明によれば、識別コード記憶モードが設定者の意図しないタイミングで実行されることを防ぎ、識別コードの誤記憶を抑制できる衛生洗浄装置を提供することができる。
【図面の簡単な説明】
【００１１】
【図１】本発明の実施形態による衛生洗浄装置を備えたトイレ装置が設置されたトイレスペースの概略構成を示す図である。
【図２】本発明の実施形態による衛生洗浄装置を備えたトイレ装置の斜視図である。
【図３】本発明の実施形態による衛生洗浄装置の有する洗浄装置本体の機能ブロック図である。
【図４】本発明の実施形態による衛生洗浄装置の有するリモコンの機能ブロック図である。
【図５】本発明の実施形態による衛生洗浄装置に備えられた本体制御ユニットによる識別コードを送信する際のフローチャートである。
【図６】本発明の実施形態による衛生洗浄装置に備えられたリモコン制御ユニットによる識別コードを記憶する際のフローチャートである。
【発明を実施するための形態】
【００１２】
以下、添付図面を参照して、本発明の実施形態による衛生洗浄装置について説明する。なお、各図面中、同様の構成要素には同一の符号を付して詳細な説明は適宜省略する。
まず、図１乃至図４により、本発明の実施形態によるトイレ装置について説明を行う。
図１は、本発明の実施形態による衛生洗浄装置を備えたトイレ装置が設置されたトイレスペースの概略構成を示す図である。図２は、本発明の実施形態による衛生洗浄装置を備えたトイレ装置の斜視図である。図３は、本発明の実施形態による衛生洗浄装置の有する洗浄装置本体の機能ブロック図である。
図４は、本発明の実施形態による衛生洗浄装置の有するリモコンの機能ブロック図である。
【００１３】
図１に示すように、公共施設等のトイレルームＳには、複数のトイレ室が設けられており、各個室内にはトイレ装置１がそれぞれ設置されている。
図２乃至図４に示すように、トイレ装置１は、いわゆる洋式腰掛便器の便器２と、便器２の上方に載置された洗浄装置本体４と、トイレ室内の壁面に設けられ、洗浄装置本体４を遠隔操作可能なリモコン６と、を備えている。なお、本実施形態において、洗浄装置本体４と、リモコン６とが本発明の衛生洗浄装置である。
【００１４】
便器２は、使用者の排泄物を受けるボウル形状のボウル部８と、一端がボウル部８の下方に接続され、他端が排水管（図示せず）に接続された排水路（図示せず）と、ボウル部８に洗浄水を導く導水路（図示せず）とを備え、ボウル部８に排泄された排泄物を導水路からの洗浄水で洗い流し、排水路から排水管に排出することができる。
洗浄装置本体４は、便器２の上面に配置された樹脂製の便座１０と、この便座１０を覆うように配置された樹脂性の便蓋１２と、便器２の後方に配置されたケーシング１４と、を備える。この便座１０と便蓋１２は、上下方向に回動自在にケーシング１４に軸支されている。また、ケーシング１４は、樹脂製の外観部材であり、便器２の上面に取り付けられたプレート部材（図示せず）と係合される係合部（図示せず）と、この係合部とプレート部材との係合を解除する着脱解除部１６とを、有し、便器２の上面に着脱自在に載置されている。
【００１５】
洗浄装置本体４は、ケーシング１４の内部に、機能ユニット１８と、洗浄装置本体４が便器２から着脱されたことを検知する着脱センサ２０と、便座１０への着座を検知する着座センサ２２と、リモコン６からの操作信号を受信する本体通信ユニット２４と、着脱センサ２０、着座センサ２２で検知した信号及び本体通信ユニット２４で受信した操作信号に基づいて、機能ユニット１８を動作させる本体制御ユニット２６と、識別コードを記憶している本体メモリ２８と、本体制御ユニット２６の所定の動作からの経過時間を計測するタイマー３０と、を有する。なお、この洗浄装置本体４は、コンセントＯと接続されており、使用者がケーシング１４に設けられた電源スイッチ（図示せず）を押すことで電源が投入されると、コンセントＯから電力供給を受けて動作が開始される。
【００１６】
機能ユニット１８は、使用者の局部を洗浄する局部洗浄ユニット３２と、局部洗浄ユニット３２に洗浄水を供給する局部洗浄タンク３４と、便器２を洗浄する洗浄水を貯水する便器洗浄タンク３６と、便器２と便器洗浄タンク３６とを接続する通水流路３８と、便器洗浄タンクの洗浄水を給排水させる給排水ユニット４０と、を有する。
【００１７】
局部洗浄ユニット３２は、ノズル４２と、ノズル４２と局部洗浄タンク３４とを接続する通水流路４４と、通水流路４４を開閉する電磁弁（図示せず）と、ノズル４２を駆動させるモータ（図示せず）と、が設けられており、ケーシング１４の内部からボウル部８内に進出させたノズル４２から洗浄水を噴射し、使用者の局部を洗浄することができる。
【００１８】
局部洗浄タンク３４は、給水源（図示せず）と接続され、使用者の局部を洗浄するため洗浄水を貯水している。この局部洗浄タンク３４は、給水装置（図示せず）が駆動することで給水源から洗浄水が供給されており、所定量の洗浄水が貯水されている。また、局部洗浄タンク３４は、給水源からの洗浄水をヒーター（図示せず）で温めて貯水可能であり、局部洗浄ユニット３２に水だけでなく温水の洗浄水を供給できる。
【００１９】
便器洗浄タンク３６は、便器２を洗浄水するための所定量の洗浄水を貯水可能なタンク本体４６と、タンク本体４６の貯水水位を検知する水位検知センサ４８とを有する。
タンク本体４６は、通水流路３８と接続され、通水流路３８に洗浄水を通水させ便器２の導水路に洗浄水を供給する。
水位検知センサ４８は、タンク本体４６内に設けられたフロートスイッチであり、タンク本体４６内の洗浄水が所定水位になるとこのフロートスイッチがオンとなり、水位が所定値を下回るとフロートスイッチがオフの状態となる。
【００２０】
給排水ユニット４０は、タンク本体４６と通水流路３８を開閉する排水弁（図示せず）と、給水源からタンク本体４６に洗浄水を供給する給水流路（図示せず）と、給水流路を開閉する給水弁（図示せず）と、を有する。
給排水ユニット４０は、排水弁及び給水弁を開閉することで、洗浄水を通水流路３８に通水させ便器２に供給すると共に、タンク本体４６に給水源からの洗浄水を供給することができる。
【００２１】
着脱センサ２０は、便器２に取り付けられたプレート部材とケーシング１４の係合部との係合を検知するホールセンサであり、ホールセンサからの信号に基づいて洗浄装置本体４が便器２から着脱されたか検知することができる。
ここで、着脱センサ２０の検知状態がオンになっていると、プレート部材とケーシング１４の係合部とが係合され、洗浄装置本体４が便器２に装着された状態となっており、着脱センサ２０の検知状態がオフになっていると、ケーシング１４の係合部とプレート部材との係合が解除され、洗浄装置本体４が便器２から取り外された状態となっている。
【００２２】
着座センサ２２は、赤外線式の測距センサであり、ケーシング１４に設けられた計測窓２２ａから赤外線を照射し、便座１０に着座した使用者を検知することができる。
ここで、着座センサ２２の検知状態オンであると、使用者が便座１０に着座した状態であり、着座センサ２２の検知状態オフであると、使用者が便座１０に着座していない状態である。
【００２３】
本体通信ユニット２４は、リモコン６からの無線信号を受信する本体受信部５０と、無線信号を送信する本体送信部５２と、を有する。この本体通信ユニット２４は、リモコン６と電波を介した電波通信方式により、相互通信を行うことができる。
【００２４】
本体制御ユニット２６は、マイクロプロセッサ、インターフェイス回路及びこれらを作動させるソフトウェア等（以上、図示せず）により構成されており、機能ユニット１８、着脱センサ２０、着座センサ２２、本体通信ユニット２４、本体メモリ２８、タイマー３０、水位検知センサ４８とそれぞれ接続されている。また、本体制御ユニット２６は、コンセントＯ（図２参照）から供給される電力により作動される。
【００２５】
この本体制御ユニット２６は、本体通信ユニット２４が受信したリモコン６の操作信号に基づいて機能ユニット１８を動作させる通常動作モードと、後述する識別コードをリモコン６に無線送信する識別コード送信モードを実行できる。
【００２６】
通常動作モードにおいて、本体制御ユニット２６は、予め本体メモリ２８に記憶された識別コードが、リモコン６から送信された無線信号に含まれるかを判断し、識別コードが含まれている場合にのみ機能ユニット１８を動作させる。そのため、隣接したトイレ室内に設置されたトイレ装置１のリモコン６から送信された操作信号で、洗浄装置本体４の機能ユニット１８が誤動作することを抑制することができる。
また、通常動作モードにおいて、本体制御ユニット２６は、着脱センサ２０の検知に基づいて、リモコン６からの操作信号を無視し、局部洗浄ユニット３２及び給排水ユニット４０の動作を禁止したり、着座センサ２２が検知した使用者の着座の有無に基づいて、給排水ユニット４０を動作させたりすることができる。
【００２７】
識別コード送信モードにおいて、本体制御ユニット２６は、電源投入を検出するとリモコン６に向けて本体メモリ２８に記憶されている識別コードを本体通信ユニット２４の本体送信部５２からリモコン６に向けて一定の間隔で無線送信することができる。なお、本体制御ユニット２６で行われる識別コード送信モードの詳細については後述する。
【００２８】
本体メモリ２８は、識別コードを記憶している。この識別コードは、洗浄装置本体４固有のＩＤ情報であり、洗浄装置本体４にそれぞれ異なるＩＤ情報が設定されている。
また、本体メモリ２８には、識別コード送信モードで使用する所定時間Ｔ１が記憶されている。なお、所定時間Ｔ１は０分〜２０分に設定されている。
【００２９】
リモコン６は、使用者に操作される操作スイッチ５４と、識別コードを記憶するリモコンメモリ５６と、洗浄装置本体４の本体通信ユニット２４と無線通信を行うリモコン通信ユニット５８と、操作スイッチ５４の操作信号に識別コードを含ませてリモコン通信ユニット５８から送信させるリモコン制御ユニット６０と、を有する。このリモコン６は電源（図示せず）から電力供給を受けて動作している。
【００３０】
操作スイッチ５４は、複数のスイッチから構成されており、使用者に各スイッチが押されるとそのスイッチに対応した操作信号が出力されるようになっている。
【００３１】
リモコンメモリ５６は、洗浄装置本体４から送信されてきた識別コードを記憶することができる。
【００３２】
リモコン通信ユニット５８は、本体通信ユニット２４の本体送信部５２から送信された識別コードを含む無線信号を受信するリモコン受信部６２と、操作スイッチ５４の操作信号及び識別コードを本体通信ユニット２４の本体受信部５０に無線送信するリモコン送信部６４と、を有する。
【００３３】
リモコン制御ユニット６０は、マイクロプロセッサ、インターフェイス回路及びこれらを作動させるソフトウェア等（以上、図示せず）により構成されている。このリモコン制御ユニット６０は、通常の使用時において、操作スイッチ５４が操作されると、リモコンメモリ５６に記憶された識別コードを含んだ無線信号をリモコン通信ユニット５８から洗浄装置本体４に送信する通常動作モードで動作する。
また、リモコン制御ユニット６０は、操作スイッチ５４の何れかが使用者によって長押しされる等の所定の操作があると、本体通信ユニット２４の本体送信部５２から送信された識別コードをリモコンメモリ５６に記憶させる識別コード記憶モードを実行することができる。
また、リモコン制御ユニット６０は、識別コードの記憶を完了するとアンサーバック処理を実行して識別コード記憶モードを終了するようになっている。なお、リモコン制御ユニット６０で行われる識別コード記憶モードの詳細については後述する。
【００３４】
次に、図５を参照して、本体制御ユニットによる識別コードを送信する際の動作について、説明を行う。図５は、本発明の実施形態による衛生洗浄装置に備えられた本体制御ユニットによる識別コードを送信する際のフローチャートである。
【００３５】
図５に示すように、まず、ステップＳ１において、設定者によって洗浄装置本体４に電源が投入されると、本体制御ユニット２６は電源投入を検知する。次いで、ステップＳ２の処理において、本体制御ユニット２６は、識別コード送信モードで動作を開始する。この識別コード送信モードにおいて、本体制御ユニット２６は、本体メモリ２８に予め記憶されている識別コードを含む無線信号を本体通信ユニット２４の本体送信部５２から所定間隔で送信している。
【００３６】
ステップＳ２において、識別コード送信モードで動作が開始されると、ステップＳ３の処理に進み、本体制御ユニット２６は、識別コード送信モードを実行してからの経過時間Ｔをタイマー３０で計測開始する。次いで、ステップＳ４において、本体制御ユニット２６は、経過時間Ｔが本体メモリ２８に記憶された所定時間Ｔ１以上であるか確認し、識別コード送信モードを実行してから所定時間経過したかを確認する。
【００３７】
ステップＳ４の処理において、識別コード送信モードを実行してからの経過時間Ｔが所定時間Ｔ１を越えていない場合、本体制御ユニット２６は、ステップＳ５の処理に進み、リモコン６から送信される記憶成立コードを受信したかを確認する。
一方で、ステップＳ４の処理において、識別コード送信モードを実行してからの経過時間Ｔが所定時間Ｔ１以上である場合、本体制御ユニット２６は、後述するステップＳ７の処理に進む。
【００３８】
ステップＳ５の処理において、記憶成立コードを受信すると、本体制御ユニット２６は、ステップＳ６の処理に進み、記憶成立コードに含まれている識別コードが本体メモリ２８の記憶している識別コードと一致しているか否かを確認する。
一方で、ステップＳ５の処理において、記憶成立コードの受信がない場合は、本体制御ユニット２６は、ステップＳ４に戻り処理を再開する。
【００３９】
ステップＳ６の処理において、記憶成立コードに含まれている識別コードが本体メモリ２８の記憶している識別コードと一致していると、本体制御ユニット２６は、ステップＳ７の処理に進む。
一方で、ステップＳ６の処理において、記憶成立コードに含まれている識別コードが本体メモリ２８の記憶している識別コードと一致しないと、本体制御ユニット２６は、ステップＳ４に戻り処理を再開する。
【００４０】
ステップＳ７の処理において、本体制御ユニット２６は、識別コード送信モードを終了し、通常動作モードに移行する。次いで、ステップＳ８の処理に進み、本体制御ユニット２６は、識別コードの記憶に関する一連の処理を終了させる。なお、ステップＳ８の処理が終了すると、一度電源を切った後に再度電源を投入されるまで、識別コード送信モードは実行されない。
【００４１】
次に、図６を参照して、リモコン制御ユニットによる識別コードの記憶する際の動作について、説明を行う。図６は、本発明の実施形態による衛生洗浄装置に備えられたリモコン制御ユニットによる識別コードを記憶する際のフローチャートである。
【００４２】
図６に示すように、まず、ステップＳ１１において、リモコン６に電源が投入されると、リモコン制御ユニット６０の通常動作モードで動作を開始する。次いで、ステップＳ１２の処理において、洗浄装置本体４から送信された識別コードをリモコン通信ユニット５８が受信しているか否かを確認し、洗浄装置本体４が識別コードを送信しているかを確認する。つまり、リモコン制御ユニット６０は、本体制御ユニット２６がステップＳ２の処理を実行し、識別コード記憶モードで動作しているかを確認する。
【００４３】
ステップＳ１２の処理において、洗浄装置本体４からの識別コードの送信を確認できない場合、リモコン制御ユニット６０は、洗浄装置本体４からの識別コードの送信を確認するまでステップＳ１２の処理を繰り返す。
一方で、ステップＳ１２の処理において、洗浄装置本体４からの識別コードの送信を確認すると、リモコン制御ユニット６０は、ステップＳ１３の処理に進み、操作スイッチ５４からの操作信号を確認し、操作スイッチ５４の所定操作の有無を確認する。
ここで操作スイッチ５４の所定操作とは、操作スイッチ５４を長押したことであり、リモコン６の通常使用時に使用者が行う操作とは異なる操作のことである。
【００４４】
ステップＳ１３の処理において、操作スイッチ５４の所定操作がある場合、リモコン制御ユニット６０は、ステップＳ１４の処理に進み、通常動作モードから識別コード記憶モードに移行する。次いで、ステップＳ１５の処理に進み、リモコン制御ユニット６０は、識別コードを受信し、その受信した識別コードの記憶が完了したかを確認する。
このステップＳ１３の処理を行う際には、本体制御ユニット２６はステップＳ２の処理を行い、識別コード送信モードを実行しており、識別コードを所定間隔で送信している。
【００４５】
ステップＳ１５の処理において、リモコンメモリ５６への識別コードの記憶が完了していない場合、リモコン制御ユニット６０は、リモコンメモリ５６への識別コードの記憶が完了するまで、ステップＳ１５の処理を繰り返し行う。
ステップＳ１５の処理において、識別コードの記憶を確認するとリモコン制御ユニット６０は、ステップＳ１６の処理に進み、リモコンメモリ５６に記憶した識別コードを含んだ記憶成立コードをリモコン通信ユニット５８から洗浄装置本体４に送信する。
ここで、ステップＳ１６の処理においてリモコン６から送信された記憶成立コードは、本体制御ユニット２６がステップＳ５及びステップＳ６の処理を行う際に使用される。
なお、本実施形態において、ステップＳ１６の処理がリモコン制御ユニット６０で行われるアンサーバック処理であり、記憶成立コードがアンサーバック処理におけるリモコン６から送信される返信信号である。
【００４６】
次いで、ステップＳ１７の処理において、識別コード記憶モードを終了し、通常動作モードに移行し処理が終了する。
【００４７】
つぎに、上述した本発明の実施形態によるトイレ装置における作用について説明する。
まず、本発明の実施形態による衛生洗浄装置によれば、洗浄装置本体４の電源が投入されると、この洗浄装置本体４に設定されている識別コードを送信する識別コード送信モードが実行され、リモコン６が設定者によって所定の操作を行われると洗浄装置本体４から送信された識別コードを記憶手段に記憶する識別コード記憶モードを実行することができる。
そのため、洗浄装置本体４が電源投入されて、且つ、リモコン６が所定操作されることで、洗浄装置本体４に設定されている識別コードがリモコン６のリモコンメモリ５６に記憶されるため、洗浄装置本体４の電源がオンオフされても識別コード記憶モードが実行されることがなく、設定者が意図してリモコン６を所定操作しないと識別コード記憶モードが実行されるので、設定者が意図しないタイミングで識別コードがリモコン６のリモコンメモリ５６に記憶されてしまうことを防ぐことができる。
従って、識別コード記憶モードの実行のために、洗浄装置本体４での操作や入力手段を追加する必要がなく、かつ、識別コードの誤記憶を抑制することができる。
【００４８】
また、本発明の実施形態による衛洗浄装置によれば、リモコン制御ユニット６０がリモコンメモリ５６に識別コードの記憶を完了すると、アンサーバック処理を実行して識別コード記憶モードを終了し、本体制御ユニット２６はアンサーバック処理による返信信号を受信して識別コード送信モードの実行を終了することができる。
そのため、リモコン６に識別コードが記憶されると、速やかに識別コード送信モードおよび識別コード記憶モードの実行が終了されるため、記憶させたい洗浄装置本体４以外から送信された識別コードがリモコン６に誤記憶されてしまうことを抑制できる。
【００４９】
以上、本発明の実施の形態について説明した。しかし、本発明はこれらの記述に限定されるものではなく、前述の本実施形態に関して、当業者が適宜設計変更を加えたものも、本発明の特徴を備えている限り、本発明の範囲に包含される。
例えば、本実施形態においては、リモコン制御ユニット６０は、操作スイッチ５４の何れかが使用者によって長押しされると識別コード記憶モードを実行するが、操作スイッチ５４の複数のスイッチを同時に押すことで識別コード記憶モードを実行可能にしてもよい。
また、前述した各実施の形態が備える各要素は、技術的に可能な限りにおいて組み合わせることができ、これらを組み合わせたものも本発明の特徴を含む限り本発明の範囲に包含される。
【符号の説明】
【００５０】
１      トイレ装置
２      便器
４      洗浄装置本体
６      リモコン
８      ボウル部
１０    便座
１２    便蓋
１４    ケーシング
１６    着脱解除部
１８    機能ユニット
２０    着脱センサ
２２    着座センサ
２２ａ  計測窓
２４    本体通信ユニット
２６    本体制御ユニット
２８    本体メモリ
３０    タイマー
３２    局部洗浄ユニット
３４    局部洗浄タンク
３６    便器洗浄タンク
３８    通水流路
４０    給排水ユニット
４２    ノズル
４４    通水流路
４６    タンク本体
４８    水位検知センサ
５０    本体受信部
５２    本体送信部
５４    操作スイッチ
５６    リモコンメモリ
５８    リモコン通信ユニット
６０    リモコン制御ユニット
６２    リモコン受信部
６４    リモコン送信部
【図１】
2018159199.tif 000003
【図２】
2018159199.tif 000004
【図３】
2018159199.tif 000005
【図４】
2018159199.tif 000006
【図５】
2018159199.tif 000007
【図６】
2018159199.tif 000008